【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
プログラムを実行するプロセッサと、前記プログラムを記憶する記憶デバイスと、を有する情報処理システムであって、
所定の属性によりグループ化された単語群である単語グループを記憶する単語辞書データベースと、
文中の単語間の関係を示す木構造データについて前記単語グループを用いて抽象化した木構造パターンを記憶するルールデータベースと、を有し、
前記プロセッサは、
前記単語または前記木構造パターンに関する更新要求を受け付ける受付処理と、
前記受付処理によって受け付けられた更新要求が単語に関する更新要求である場合、前記単語が所属する単語グループに対する更新を前記単語辞書データベースに対して行い、前記更新要求が前記木構造パターンに関する更新要求である場合、前記木構造パターンの更新を前記ルールデータベースに対して行う更新処理と、
を実行することを特徴とする情報処理システム。
【請求項２】
請求項１に記載の情報処理システムであって、
前記プロセッサは、
前記単語に関する更新要求が前記単語の追加要求である場合、前記単語に基づいて前記単語が所属すべき単語グループの属性を特定する特定処理を実行し、
前記更新処理では、前記プロセッサは、前記特定処理によって特定された属性の単語グループに前記単語を追加することを特徴とする情報処理システム。
【請求項３】
請求項１に記載の情報処理システムであって、
前記更新処理では、前記プロセッサは、前記単語に関する更新要求が前記単語の削除要求である場合、前記単語が所属する単語グループから前記単語を削除することを特徴とする情報処理システム。
【請求項４】
請求項１に記載の情報処理システムであって、
前記更新処理では、前記プロセッサは、前記木構造パターンに関する更新要求が前記木構造パターンの追加要求である場合、前記木構造パターンを前記ルールデータベースに登録することを特徴とする情報処理システム。
【請求項５】
請求項１に記載の情報処理システムであって、
前記更新処理では、前記プロセッサは、前記木構造パターンに関する更新要求が前記木構造パターンの削除要求である場合、前記木構造パターンを前記ルールデータベースから削除することを特徴とする情報処理システム。
【請求項６】
請求項１に記載の情報処理システムであって、
前記プロセッサは、
複数の文を記憶するデータストアにアクセス可能であり、
前記複数の文のうち特定の単語を含む前記データストア内の特定の文の解析結果である特定の木構造データについて前記特定の単語を含む特定の単語グループを用いて抽象化した特定の木構造パターンを取得する取得処理と、
前記特定の木構造データから、前記取得処理によって取得された特定の木構造パターンにおいて前記特定の単語グループと共起する語句に包含される単語を抽出する抽出処理と、
前記抽出処理によって抽出された単語を表示画面に表示可能に出力する出力処理と、を実行し、
前記更新処理では、前記プロセッサは、前記特定の木構造パターンに関する更新要求が前記特定の木構造パターンの追加要求である場合、前記特定の木構造パターンを前記ルールデータベースに登録することを特徴とする情報処理システム。
【請求項７】
請求項１に記載の情報処理システムであって、
前記プロセッサは、
複数の文を記憶するデータストアにアクセス可能であり、
前記複数の文のうち特定の単語を含む前記データストア内の特定の文の解析結果である特定の木構造データについて前記特定の単語を含む特定の単語グループを用いて抽象化した特定の木構造パターンを取得する取得処理と、
前記特定の木構造データから、前記取得処理によって取得された特定の木構造パターンにおいて前記特定の単語グループと共起する語句に包含される単語を抽出する抽出処理と、
前記抽出処理によって抽出された単語を前記特定の文に関連付けることにより前記データストアを更新するデータストア更新処理と、を実行し、
前記更新処理では、前記プロセッサは、前記特定の木構造パターンに関する更新要求が前記特定の木構造パターンの追加要求である場合、前記特定の木構造パターンを前記ルールデータベースに登録することを特徴とする情報処理システム。
【請求項８】
請求項７に記載の情報処理システムであって、
前記抽出処理では、前記プロセッサは、前記複数の文のうち前記特定の文以外の他の文の解析結果である他の木構造データから、前記特定の木構造パターンにおいて前記特定の単語グループと共起する語句に包含される他の単語を抽出し、
前記データストア更新処理では、前記プロセッサは、前記抽出処理によって抽出された他の単語を前記他の文に関連付けることにより前記データストアを更新することを特徴とする情報処理システム。
【請求項９】
請求項１に記載の情報処理システムであって、
前記プロセッサは、
操作者の編集操作を受け付けると、前記木構造データを前記木構造パターンに変換する変換処理を実行し、
前記変換処理では、前記プロセッサは、前記操作者によって選択された単語を、当該単語を含む単語グループの呼び出しに変換する、
ことを特徴とする情報処理システム。
【請求項１０】
請求項１に記載の情報処理システムであって、
前記プロセッサは、
文を句構造規則に従って構文解析することにより前記木構造パターンを生成して前記木構造データを取得する生成処理を実行し、
前記生成処理では、前記プロセッサは、操作者の編集操作で前記木構造データから不要な情報を削除することにより、前記木構造パターンを編集する、
ことを特徴とする情報処理システム。
【請求項１１】
プログラムを実行するプロセッサと、前記プログラムを記憶する記憶デバイスと、所定の属性によりグループ化された単語群である単語グループを記憶する単語辞書データベースと、文中の単語間の関係を示す木構造データについて前記単語グループを用いて抽象化した木構造パターンを記憶するルールデータベースと、を有する情報処理システムによる情報処理方法であって、
前記プロセッサは、
前記単語または前記単語グループに関する更新要求を受け付ける受付処理と、
前記受付処理によって受け付けられた更新要求が単語に関する更新要求である場合、前記単語が所属する単語グループに対する更新を前記単語辞書データベースに対して行い、前記更新要求が前記木構造パターンに関する更新要求である場合、前記木構造パターンの更新を前記ルールデータベースに対して行う更新処理と、
を実行することを特徴とする情報処理方法。
【手続補正２】
【補正対象書類名】明細書
【補正対象項目名】００１０
【補正方法】変更
【補正の内容】
【００１０】
本願において開示される発明の一側面となる情報処理システムは、プログラムを実行するプロセッサと、前記プログラムを記憶する記憶デバイスと、を有する情報処理システムであって、所定の属性によりグループ化された単語群である単語グループを記憶する単語辞書データベースと、文中の単語間の関係を示す木構造データについて前記単語グループを用いて抽象化した木構造パターンを記憶するルールデータベースと、を有し、前記プロセッサは、前記単語または前記単語グループに関する更新要求を受け付ける受付処理と、前記受付処理によって受け付けられた更新要求が単語に関する更新要求である場合、前記単語が所属する単語グループに対する更新を前記単語辞書データベースに対して行い、前記更新要求が前記木構造パターンに関する更新要求である場合、前記木構造パターンの更新を前記ルールデータベースに対して行う更新処理と、を実行することを特徴とする。
【手続補正３】
【補正対象書類名】明細書
【補正対象項目名】００１３
【補正方法】変更
【補正の内容】
【００１３】
＜データベースのメンテナンス例＞
図１は、データベースのメンテナンス例１を示す説明図である。図１では、単語辞書ＤＢ（Ｄａｔａｂａｓｅ）１０１に対するメンテナンスについて説明する。単語辞書ＤＢ１０１は、１以上の単語グループを記憶する。単語グループは、所定の属性によりグループ化された単語群である。所定の属性とは、その単語グループが示す特徴である。所定の属性とは、具体的には、たとえば、日本語の文において主語の助詞が「が」格となる動詞や、特定の副詞と共起する動詞が挙げられる。そのほか、同義語や類義語であったり、特定の分野（投資、医療など）に用いられる単語であってもよい。図１では、一例として、単語グループＧａは、「ｓｕｐｐｒｅｓｓ」、「ｄｅｃｒｅａｓｅ」を含む同義語グループとする。
【手続補正４】
【補正対象書類名】明細書
【補正対象項目名】００１６
【補正方法】変更
【補正の内容】
【００１６】
（Ａ）ルールＲａの木構造パターンでデータストア１０３が検索されると（Ｓ１１）、検索結果１１１が得られる。検索結果１１１内の文は、いずれもルールＲａを満たすテキストデータである。ここで、（Ａ）において、単語辞書ＤＢ１０１に対するメンテナンスにより、単語グループＧａに「ｒｅｄｕｃｅ」が追加されて（Ｂ）の状態になったとする。（Ｂ）ルールＲａの木構造パターンでデータストア１０３が検索されると（Ｓ１２）、検索結果１１２が得られる。単語グループＧａに「ｒｅｄｕｃｅ」が追加された場合でも、ルールＲａを修正することなく、検索が可能である。
【手続補正５】
【補正対象書類名】明細書
【補正対象項目名】００１８
【補正方法】変更
【補正の内容】
【００１８】
また、（Ｂ）において、単語辞書ＤＢ１０１に対するメンテナンスにより、単語グループＧａから「ｒｅｄｕｃｅ」が削除されて（Ａ）の状態になったとする。（Ａ）ルールＲａの木構造パターンでデータストア１０３が検索されると、検索結果１１１が得られる。単語グループＧａから「ｒｅｄｕｃｅ」が削除された場合でも、ルールＲａを修正することなく、検索が可能である。